(57)【要約】【課題】径寸法の異なる多種類のワイヤハーネスに対し、安定した保持力を発揮することができる、新規な構造のハーネス固定片を備えた電装部品を提供すること。【解決手段】ワイヤハーネス４８の挿通口１２を有する部品本体１４と、部品本体１４の挿通口１２から外方に向かって一体的に突設されたハーネス固定片２４とを備えた電装部品１０であって、ハーネス固定片２４が、部品本体１４と一体成形された基台部２６と、基台部２６におけるワイヤハーネス４８の載置面に対して固着されて基台部２６よりも軟質かつ高粘弾性のエラストマー材で構成された表面シート部３０とを含んで構成されているようにした。【選択図】図１
2017201864.tif 000002
【特許請求の範囲】
【請求項１】
ワイヤハーネスの挿通口を有する部品本体と、
前記部品本体の前記挿通口から外方に向かって一体的に突設されたハーネス固定片とを備えた電装部品であって、
前記ハーネス固定片が、前記部品本体と一体成形された基台部と、該基台部における前記ワイヤハーネスの載置面に対して固着されて前記基台部よりも軟質かつ高粘弾性のエラストマー材で構成された表面シート部とを含んで構成されている
ことを特徴とするハーネス固定片を備えた電装部品。
【請求項２】
前記ハーネス固定片の前記基台部に対して、前記表面シート部が一体成形されている請求項１に記載のハーネス固定片を備えた電装部品。
【請求項３】
前記ハーネス固定片が円弧断面形状で延出している請求項１または２に記載のハーネス固定片を備えた電装部品。
【発明の詳細な説明】
【技術分野】
【０００１】
本発明は、ワイヤハーネスの挿通口から外方に突出してワイヤハーネスを支持するハーネス固定片を備えた電装部品に関するものである。
【背景技術】
【０００２】
従来から、自動車等の電装系に採用される電気接続箱やプロテクタ等の電装部品では、電装部品に設けられたワイヤハーネスの挿通口に、ハーネス固定片が突設されているものが広く知られている。例えば、特開平８−１９６０１６号公報（特許文献１）に記載のものがそれである。
【０００３】
ところで、このような電装部品では、電装部品から引き出されるワイヤハーネスを、ハーネス固定片に載置して周囲をビニールテープや結束バンドで結束することにより、ハーネス固定片に対してワイヤハーネスを安定して保持し、ワイヤハーネスに伝達される引張力等が内部の電気部品に伝達されることを回避したり、ワイヤハーネスに対するプロテクタ等の部品の位置決めが安定して保持されるようになっている。さらに、プロテクタ等の内部にワイヤハーネスの余長を吸収した状態でワイヤハーネスをハーネス固定片に結束固定して、余長寸法を安定して維持させることもできる。
【０００４】
ところが、電装部品から引き出されるワイヤハーネスの径寸法は多様であることから、ハーネス固定片に対してワイヤハーネスの径寸法が大き過ぎると、ワイヤハーネスがハーネス固定片に対して変位し易くなって、ワイヤハーネスの安定した保持ができなくなるおそれがあった。また、ワイヤハーネスの径寸法が小さ過ぎても、ハーネス固定片上でワイヤハーネスが滑りやすく固定位置が安定しない場合があった。特に近年のハロゲンフリーの絶縁被覆材で被覆されている電線束からなるワイヤハーネスの場合、ハーネス固定片に対するワイヤハーネスのすべりが一層問題となって、安定した保持が維持できないおそれがあった。
【先行技術文献】
【特許文献】
【０００５】
【特許文献１】特開平８−１９６０１６号公報
【発明の概要】
【発明が解決しようとする課題】
【０００６】
本発明は、上述の事情を背景に為されたものであって、その解決課題は、径寸法の異なる多種類のワイヤハーネスに対し、安定した保持力を発揮することができる、新規な構造のハーネス固定片を備えた電装部品を提供することにある。
【課題を解決するための手段】
【０００７】
本発明の第一の態様は、ワイヤハーネスの挿通口を有する部品本体と、前記部品本体の前記挿通口から外方に向かって一体的に突設されたハーネス固定片とを備えた電装部品であって、前記ハーネス固定片が、前記部品本体と一体成形された基台部と、該基台部における前記ワイヤハーネスの載置面に対して固着されて前記基台部よりも軟質かつ高粘弾性のエラストマー材で構成された表面シート部とを含んで構成されていることを特徴とする。
【０００８】
本態様に従う構造とされたハーネス固定片を備えた電装部品によれば、ワイヤハーネスが固定されるハーネス固定片が、部品本体と一体成形された基台部と、基台部のハーネス載置面に対して固着された表面シート部とを含んで構成されている。さらに、表面シート部は、基台部よりも軟質かつ高粘弾性のエラストマー材で構成されている。それゆえ、ワイヤハーネスをハーネス固定片に沿わせて載置してビニールテープや結束バンドで結束固定した際に、表面シート部の弾性によりワイヤハーネスと表面シート部との接触面積を増大させることができると共に、ワイヤハーネスとハーネス固定片の表面シート部との間に、表面シート部の粘弾性によって高い摩擦抵抗を生じさせることができる。
【０００９】
これにより、ワイヤハーネスが比較的大径の場合でも、ワイヤハーネスのハーネス固定片に対する変位を抑制してワイヤハーネスをハーネス固定片に対して安定して保持することができる。また、ワイヤハーネスが比較的小径の場合には、ハーネス固定片の表面シート部の高粘弾性により、ワイヤハーネスのハーネス固定片上でのすべり変位が阻止されて、ワイヤハーネスをハーネス固定片に対して安定して保持することができる。
【００１０】
特に、ワイヤハーネスを構成する電線の絶縁被覆がハロゲンフリー等の摩擦抵抗の少ない素材で形成されている場合であっても、ハーネス固定片の表面シート部の高粘弾性により、かかる素材のワイヤハーネスの滑りも確実に阻止することができる。したがって、本発明のハーネス固定片を備えた電装部品によれば、多様なワイヤハーネスに対して、ハーネス固定片が安定した保持力を発揮することができるのである。
【００１１】
本発明の第二の態様は、前記第一の態様に記載のものにおいて、前記ハーネス固定片の前記基台部に対して、前記表面シート部が一体成形されているものである。
【００１２】
本態様によれば、ハーネス固定片の基台部と表面シート部が一体成形されている。具体的には、部品本体とハーネス固定片の基台部を射出成形した後、成形型の一部を交換して表面シート部をさらに基台部の表面上に射出成形する２色成形法により一体成形することができる。それゆえ、表面シート部を別途成形して基台部に接着材等を介して接着する場合に比して、作業効率よく製造することができる。
【００１３】
本発明の第三の態様は、前記第一または第二の態様に記載のものにおいて、前記ハーネス固定片が円弧断面形状で延出しているものである。
【００１４】
本態様によれば、ハーネス固定片が円弧断面形状で延出していることから、ワイヤハーネスの外周面に対してハーネス固定片の表面シート部をより広い範囲で沿わせることができると共に、表面シート部とワイヤハーネス表面との摩擦抵抗を一層有利に発現させることができ、ハーネス固定片による一層安定したワイヤハーネスの保持が実現できる。
【発明の効果】
【００１５】
本発明によれば、ハーネス固定片が、基台部と、基台部のハーネス載置面に対して固着された表面シート部とを含んで構成されている。さらに、表面シート部は、基台部よりも軟質かつ高粘弾性のエラストマー材で構成されている。それゆえ、ワイヤハーネスをハーネス固定片に沿わせて載置して結束固定した際に、表面シート部の弾性によりワイヤハーネスと表面シート部との接触面積を増大できると共に、ワイヤハーネスとハーネス固定片の表面シート部との間に高い摩擦抵抗を生じさせることができる。これにより、ワイヤハーネスが比較的大径の場合でも、ワイヤハーネスのハーネス固定片に対する変位を抑制してワイヤハーネスをハーネス固定片に対して安定して保持することができる。また、ワイヤハーネスが比較的小径の場合には、ハーネス固定片の表面シート部の高粘弾性により、ワイヤハーネスのハーネス固定片上でのすべり変位が阻止されて、ワイヤハーネスをハーネス固定片に対して安定して保持できる。特に、ワイヤハーネスを構成する電線の絶縁被覆がハロゲンフリー等の摩擦抵抗の少ない素材で形成されていても、ハーネス固定片の表面シート部の高粘弾性により、かかる素材のワイヤハーネスの滑りも確実に阻止できる。したがって、多様なワイヤハーネスに対して、安定した保持力を発揮できる。
【図面の簡単な説明】
【００１６】
【図１】本発明の一実施形態のハーネス固定片を備えた電装部品としてのプロテクタと結束バンドを示す斜視図。
【図２】本実施形態のプロテクタにワイヤハーネスを収容保持すると共に結束バンドを用いて結束固定した状態を示す斜視図。
【図３】図２の正面拡大図。
【図４】ワイヤハーネスが比較的小径の場合の正面拡大図であって、図３に相当する図。
【発明を実施するための形態】
【００１７】
以下、本発明の実施形態について、図面を参照しつつ説明する。
【００１８】
図１〜３には、本発明の一実施形態としてのハーネス固定片を備えた電装部品としてのプロテクタ１０が、示されている。図１に示されているように、プロテクタ１０は、正面視が略Ｕ字形状で樋状に延びると共に長手方向先端部に後述するワイヤハーネス４８が挿通される挿通口１２を有する部品本体たるプロテクタ本体１４と、プロテクタ本体１４の上方開口部１６を覆蓋する蓋体１８を含んで構成されており、例えばポリプロピレン（ＰＰ）等の合成樹脂により射出成形等によって一体形成されている。以下の説明において、上方とは、図３中の上方、下方とは、図３中の下方、また前方とは、図３中の紙面に垂直な上方、後方とは、図３中の紙面に垂直な下方を言うものとする。
【００１９】
プロテクタ本体１４は、底壁２０と底壁２０の両側から立ち上がる一対の側壁２２ａ，２２ｂを含んで樋状に延びる構成とされている。また、プロテクタ本体１４の挿通口１２において、奥側の側壁２２ａ及び底壁２０から外方に向かって一体的に延び出す略円弧断面形状のハーネス固定片２４が設けられており、後述するワイヤハーネス４８を固定できるようになっている。
【００２０】
かかるハーネス固定片２４は、図１に示されているように、プロテクタ本体１４と一体成形された基台部２６と、ワイヤハーネス４８が載置される面である基台部２６の内面２８の略全面に亘って固着された表面シート部３０と、を含んで構成されている。なお、表面シート部３０は、基台部２６よりも軟質かつ高粘弾性のエラストマー材である、例えばＴＰＯ（オレフィン系熱可塑性エラストマー）やＳＩ（シリコーンゴム）やＮＢＲ（ニトリルゴム）やＩＩＲ（ブチルゴム）等によって構成されている。そして、かかる表面シート部３０は、例えば、プロテクタ本体１４とハーネス固定片２４の基台部２６を射出成形した後、成形用金型の一部を交換してハーネス固定片２４の基台部２６に対してさらに表面シート部３０を基台部２６の内面２８上に射出成形する２色成形法により一体成形されている。
【００２１】
また、ハーネス固定片２４には、図１に示されているように、プロテクタ本体１４の側壁２２ａに連接する壁部３２の外面に、外方に向かって矩形断面形状で突出する結束バンド保持部３４が設けられている一方、この結束バンド保持部３４には、上下方向に開口するバンド挿通孔３６が貫設されている。そして、結束バンド保持部３４の上端面３８が、ハーネス固定片２４における壁部３２の上端面４０よりも下方に位置されるようになっている。
【００２２】
プロテクタ本体１４の手前側の側壁２２ｂには、図１に示されているように、上方開口部１６側の長手方向両端部において矩形状の係合孔４２が貫設されている一方、プロテクタ本体１４の奥側の側壁２２ａの上端部には、蓋体１８がヒンジ接続されている。そして、覆蓋時において係合孔４２に対応する蓋体１８の内面には、内方に向かって突出する係合突起４４が設けられていると共に、係合突起４４の先端部には係合爪４６が突設されている。
【００２３】
上述の如き構造とされたプロテクタ１０に対して、図２に示されているように、ワイヤハーネス４８が、挿通され収容された状態で、以下のように結束固定されるようになっている。ここで、ワイヤハーネス４８は、図示しない多数の電線が結束されて構成されており、かかる電線の絶縁被覆は例えばハロゲンフリー難燃性架橋ポリオレフィン等によって形成されている。より詳細には、先ず、プロテクタ１０のプロテクタ本体１４にワイヤハーネス４８を挿通収容して、プロテクタ本体１４の上方開口部１６を蓋体１８により覆蓋する。この際、蓋体１８の内面に突設された係合突起４４の先端部の係合爪４６が、プロテクタ本体１４の手前側の側壁２２ｂに設けられた係合孔４２と嵌合することにより、蓋体１８がプロテクタ本体１４に対して係合固定されて覆蓋されるようになっている。
【００２４】
次に、結束バンド５０を用いて、プロテクタ１０に対してワイヤハーネス４８を固定する。より詳細には、結束バンド５０は、図１に示されているように、長方形断面の細長い平板形状とされたバンド部５２を備えており、このバンド部５２の長さ方向一方の端部にヘッド部５４が一体形成されている。周知のとおり、結束バンド５０は合成樹脂材料で一体成形されており、バンド部５２が湾曲変形可能となっている。また、バンド部５２の厚さ方向の一方となる片面５６には、図示しない鋸歯状の係止突起がバンド部５２の長手方向に多数並んで形成されている。さらに、結束バンド５０のヘッド部５４には、挿通孔５８が形成されていると共に、この挿通孔５８の内部には内方に向かって突出する係止片６０が設けられている。そして、結束バンド５０のバンド部５２をリング状に湾曲させて先端部を挿通孔５８に挿し入れることにより、バンド部５２の係止突起に対して係止片６０が係止されるようになっている。しかも、バンド部５２の係止突起が鋸歯形状とされていることから、係止突起に対する係止片６０の係止作用が、挿通孔５８からバンド部５２を引き抜く方向にだけ機能する。それゆえ、図２に示されているように、ワイヤハーネス４８をプロテクタ１０のハーネス固定片２４に対してバンド部５２によって解除不能に締め付けて結束固定することができるのである。なお、固定後の結束バンド５０はバンド部５２の先端部を切り取られ、他部材との接触を防止できるようにされている。
【００２５】
このような構造とされたプロテクタ１０によれば、ワイヤハーネス４８が結束固定されるハーネス固定片２４を構成する基台部２６の内面２８の略全面に亘って表面シート部３０が固着されている。かかる表面シート部３０は、基台部２６よりも軟質かつ高粘弾性のエラストマー材で構成されていることから、ワイヤハーネス４８がハーネス固定片２４に結束固定された際に、表面シート部３０の弾性によりワイヤハーネス４８と表面シート部３０との接触面積を増大させることができると共に、表面シート部３０の粘弾性によってワイヤハーネス４８と表面シート部３０との間に高い摩擦抵抗を生じさせることができるようになっている。それゆえ、図３に示されているように、ワイヤハーネス４８が比較的大径の場合であっても、ワイヤハーネス４８のハーネス固定片２４に対する変位を抑制することができることから、ワイヤハーネス４８をハーネス固定片２４に対して安定して保持することができるのである。一方、図４に示されているように、ワイヤハーネス４８が比較的小径の場合では、従来のようにポリプロピレン（ＰＰ）等の合成樹脂により形成されることによりすべり変位が起きやすくなっているハーネス固定片２４の基台部２６の内面２８にワイヤハーネス４８を載置する場合に比して、ハーネス固定片２４の表面シート部３０の高粘弾性によりワイヤハーネス４８がハーネス固定片２４上ですべり変位することが阻止されることから、ワイヤハーネス４８をハーネス固定片２４に対して安定して保持することができるようになっているのである。しかも、本実施形態では、ワイヤハーネス４８を構成する電線の絶縁被覆がハロゲンフリー難燃性架橋ポリオレフィン等の摩擦抵抗の少ない素材で形成されている。このような場合であっても、ハーネス固定片２４の表面シート部３０の高粘弾性により、かかる電線からなるワイヤハーネス４８のすべり変位に対しても確実に阻止することができるようになっている。それゆえ、多様なワイヤハーネス４８に対して、ハーネス固定片２４が安定した保持力を発揮することができるのである。
【００２６】
加えて、ハーネス固定片２４の基台部２６と表面シート部３０が一体成形されていることから、例えば表面シート部３０を別途成形して基台部２６に接着材等を介して接着する場合に比して、作業効率よく製造することができるようになっている。また、ハーネス固定片２４が円弧断面形状で延出していることから、例えば図３に示されているように、ワイヤハーネス４８の外周面に対してハーネス固定片２４の表面シート部３０をより広い範囲で接触させることができると共に、ワイヤハーネス４８の外周面に対する表面シート部３０の摩擦抵抗を一層有利に発現させることができ、ハーネス固定片２４による一層安定したワイヤハーネス４８の保持が実現できるのである。
【００２７】
以上、本発明の実施形態について説明してきたが、かかる実施形態における具体的な記載によって、本発明は、何等限定されるものでない。例えば、上記実施形態では、ハーネス固定片２４を備えた電装部品としてプロテクタ１０を例にとって説明を行ったが、これに限定されない。例えば、ハーネス固定片２４を有する電気接続箱やコネクタホルダー等のその他の電装部品に対しても本発明を同様に適用することができる。また、上記実施形態では、ワイヤハーネス４８を構成する電線の絶縁被覆は、例えばハロゲンフリー難燃性架橋ポリオレフィンによって形成されていたが、一般的なエチレン系樹脂やスチレン系樹脂によって形成された絶縁被覆を有する電線で構成されたワイヤハーネスに対しても本発明の効果は同等以上に発揮される。さらに、プロテクタ本体１４とハーネス固定片２４の基台部２６はポリプロピレン（ＰＰ）によって形成されていたが、ポリアミド（ＰＡ）等の合成樹脂によって形成されていてもよい。加えて、上記実施形態では、表面シート部３０はハーネス固定片２４の基台部２６に対して２色成形法により一体的に形成されていたが、接着剤等により接着されていてもよい。また、上記実施形態では、ハーネス固定片２４が円弧断面形状で延出していたが、ワイヤハーネス４８を結束保持できれば、Ｌ字断面形状や平板断面形状等の任意の断面形状が採用可能である。
【符号の説明】
【００２８】
１０：プロテクタ（ハーネス固定片を備えた電装部品）、１２：挿通口、１４：プロテクタ本体（部品本体）、２４：ハーネス固定片、２６：基台部、３０：表面シート部、４８：ワイヤハーネス
【図１】
2017201864.tif 000003
【図２】
2017201864.tif 000004
【図３】
2017201864.tif 000005
【図４】
2017201864.tif 000006